(57)【特許請求の範囲】
【請求項１】
表示装置と接続可能なデータ処理装置であって、
所定の表示単位のページデータを複数含み、該複数のページデータそれぞれにページ番号が定義されたデータを記憶するデータ記憶手段と、
前記記憶されたデータに含まれる複数のページデータのうちから前記表示装置に表示するための１つのページデータのページ番号を受け付ける指示受付手段と、
前記データに含まれる複数のページデータのうち前記受け付けられたページ番号のページデータを前記表示装置に表示させる表示制御手段と、
表示されたページデータごとに該ページデータを識別するための識別情報と表示された時間を示す表示時間と表示された順番を示す実績順番とを含む表示履歴を記憶する履歴記憶手段と、
前記表示履歴が指定されることを条件に、前記指定された表示履歴に基づいて、前記データに含まれる複数のページデータを前記表示装置に表示させる再表示制御手段と、を備え、
前記指示受付手段は、送り指示と戻り指示とを受け付け、
前記再表示制御手段は、前記送り指示が受け付けられることに応じて、前記指定された表示履歴において表示時間が所定時間以上で、かつ表示中のページデータの前記実績順番より先の実績順番に関連付けられた前記識別情報で特定されるページデータを前記表示装置に表示させ、前記戻り指示が受け付けられることに応じて、前記表示時間が所定時間以上で、かつ表示中のページデータの前記実績順番より前の実績順番に関連付けられた前記識別情報で特定されるページデータを前記表示装置に表示させる、データ処理装置。
【請求項２】
前記再表示制御手段は、前記表示履歴が指定されると、前記指定された表示履歴に基づいて、前記データに含まれる複数のページデータのうち、表示時間が所定時間以上であって最も小さい実績順番に関連付けられた前記識別情報で特定されるページデータを前記表示装置に表示させる、請求項１に記載のデータ処理装置。
【請求項３】
前記表示制御手段は、前記送り指示が受け付けられることに応じて、前記複数のページデータのうちページ番号が表示中のページデータの次のページデータを前記表示装置に表示させ、前記戻り指示が受け付けられることに応じて、前記複数のページデータのうちページ番号が表示中のページデータの前のページデータを前記表示装置に表示させる、請求項１または２に記載のデータ処理装置。
【請求項４】
前記複数のページデータは、動画または音声と関連付けられた特定ページデータを含み、
前記複数のページデータのうち前記表示装置に表示されるページデータが前記特定ページデータの場合、再生指示を受け付ける再生指示受付手段と、
前記再生指示が受け付けられる場合、前記複数のページデータのうち前記表示装置に表示されている前記特定ページデータに関連付けられた動画または音声を再生する再生手段と、をさらに備え、
前記履歴記憶手段は、前記特定ページデータに含まれる動画または音声が再生された場合、その再生状態をさらに記憶し、
前記再生手段は、前記複数のページデータのうち前記再表示制御手段により前記表示装置に表示されている前記特定ページデータに対応して前記再生状態が記憶されている場合、前記特定ページデータに関連付けられた動画または音声を前記記憶された再生状態に従って再生する、請求項１〜３のいずれかに記載のデータ処理装置。
【請求項５】
前記ページデータに基づいて用紙上に画像を形成する画像形成手段をさらに備え、
前記画像形成手段は、前記表示履歴に基づき、前記表示制御手段により表示されたページデータのうち、表示時間が所定時間以上のページデータの画像を前記実績順番に従い用紙上に形成する、請求項１〜４のいずれかに記載のデータ処理装置。
【請求項６】
表示装置と接続可能なデータ処理装置で実行される表示制御方法であって、
所定の表示単位のページデータを複数含み、該複数のページデータそれぞれにページ番号が定義されたデータを記憶するステップと、
前記記憶されたデータに含まれる複数のページデータのうちから前記表示装置に表示するための１つのページデータのページ番号を受け付けるステップと、
前記データに含まれる複数のページデータのうち前記受け付けられたページ番号のページデータを前記表示装置に表示させるステップと、
表示されたページデータを識別するための識別情報と表示された時間を示す表示時間と表示された順番を示す実績順番とを含む表示履歴を記憶するステップと、
前記表示履歴が指定されることを条件に、前記指定された表示履歴に基づいて、前記データに含まれる複数のページデータを前記表示装置に表示させるステップと、を含み、
前記ページ番号を受け付けるステップは、送り指示を受け付けるステップと、戻り指示を受け付けるステップとを含み、
前記複数のページデータを前記表示装置に表示させるステップは、
前記送り指示が受け付けられることに応じて、前記指定された表示履歴において表示時間が所定時間以上で、かつ表示中のページデータの前記実績順番より先の実績順番に関連付けられた前記識別情報で特定されるページデータを前記表示装置に表示させるステップと、
前記戻り指示が受け付けられることに応じて、前記指定された表示履歴において表示時間が所定時間以上で、かつ表示中のページデータの前記実績順番より前の実績順番に関連付けられた前記識別情報で特定されるページデータを前記表示装置に表示させるステップとを含む、表示制御方法。
【請求項７】
前記複数のページデータを前記表示装置に表示させるステップは、前記表示履歴が指定されると、前記複数のページデータのうち、表示時間が所定時間以上であって最も小さい実績順番に関連付けられた前記識別情報で特定されるページデータを前記表示装置に表示させるステップを含む、請求項６に記載の表示制御方法。
【請求項８】
前記受け付けられたページ番号のページデータを前記表示装置に表示させるステップは、
前記送り指示が受け付けられることに応じて、前記複数のページデータのうちページ番号が表示中のページデータの次のページデータを前記表示装置に表示させるステップと、
前記戻り指示が受け付けられることに応じて、前記複数のページデータのうちページ番号が表示中のページデータの前のページデータを前記表示装置に表示させるステップとを含む、請求項６または７に記載のデータ処理装置によって実行される表示制御方法。
【請求項９】
前記複数のページデータのうち前記表示装置に表示されるページデータが動画または音声と関連付けられた特定ページデータである場合、再生指示を受け付けるステップと、
前記再生指示が受け付けられた場合、前記複数のページデータのうち前記表示装置に表示されている前記特定ページデータに関連付けられた動画または音声を再生するステップと、
前記特定ページデータに含まれる動画または音声が再生された場合の再生状態を記憶するステップと、
前記複数のページデータのうち前記表示装置に表示されている前記特定ページデータに対応して前記再生状態が記憶されている場合、前記特定ページデータに関連付けられた動画または音声を前記記憶された再生状態に従って再生するステップと、をさらに含む請求項６〜８のいずれかに記載の表示制御方法。
【請求項１０】
印刷指示を受け付けるステップと、
印刷指示が受け付けられることに応じて、前記表示履歴に基づき、前記表示制御手段により表示されたページデータのうち、表示時間が所定時間以上のページデータの画像を前記実績順番に従い用紙上に形成するステップと、を更に含む請求項６〜９のいずれかに記載の表示制御方法。
【請求項１１】
表示装置と接続可能なデータ処理装置を制御するコンピュータで実行される表示制御プログラムであって、
所定の表示単位のページデータを複数含み、該複数のページデータそれぞれにページ番号が定義されたデータを記憶するステップと、
前記記憶されたデータに含まれる複数のページデータのうちから前記表示装置に表示するための１つのページデータのページ番号を受け付けるステップと、
前記データに含まれる複数のページデータのうち前記受け付けられたページ番号のページデータを前記表示装置に表示させるステップと、
表示されたページデータを識別するための識別情報と表示された時間を示す表示時間と表示された順番を示す実績順番とを含む表示履歴を記憶するステップと、
前記表示履歴が指定されることを条件に、前記指定された表示履歴に基づいて、前記データに含まれる複数のページデータを前記表示装置に表示させるステップと、を前記コンピュータに実行させ、
前記ページ番号を受け付けるステップは、送り指示を受け付けるステップと、戻り指示を受け付けるステップとを含み、
前記複数のページデータを前記表示装置に表示させるステップは、
前記送り指示が受け付けられることに応じて、前記指定された表示履歴において表示時間が所定時間以上で、かつ表示中のページデータの前記実績順番より先の実績順番に関連付けられた前記識別情報で特定されるページデータを前記表示装置に表示させるステップと、
前記戻り指示が受け付けられることに応じて、前記指定された表示履歴において表示時間が所定時間以上で、かつ表示中のページデータの前記実績順番より前の実績順番に関連付けられた前記識別情報で特定されるページデータを前記表示装置に表示させるステップとを含む、表示制御プログラム。
【請求項１２】
前記複数のページデータを前記表示装置に表示させるステップは、前記表示履歴が指定されると、前記複数のページデータのうち、表示時間が所定時間以上であって最も小さい実績順番に関連付けられた前記識別情報で特定されるページデータを前記表示装置に表示させるステップを含む、請求項１１に記載の表示制御プログラム。
【請求項１３】
前記受け付けられたページ番号のページデータを前記表示装置に表示させるステップは、
前記送り指示が受け付けられることに応じて、前記複数のページデータのうちページ番号が表示中のページデータの次のページデータを前記表示装置に表示させるステップと、
前記戻り指示が受け付けられることに応じて、前記複数のページデータのうちページ番号が表示中のページデータの前のページデータを前記表示装置に表示させるステップとを含む、請求項１１または１２に記載の表示制御プログラム。
【請求項１４】
前記複数のページデータのうち前記表示装置に表示されるページデータが動画または音声と関連付けられた特定ページデータである場合、再生指示を受け付けるステップと、
前記再生指示が受け付けられた場合、前記複数のページデータのうち前記表示装置に表示されている前記特定ページデータに関連付けられた動画または音声を再生するステップと、
前記特定ページデータに含まれる動画または音声が再生された場合の再生状態を記憶するステップと、
前記複数のページデータのうち前記表示装置に表示されている前記特定ページデータに対応して前記再生状態が記憶されている場合、前記特定ページデータに関連付けられた動画または音声を前記記憶された再生状態に従って再生するステップと、をさらに前記コンピュータに実行させる請求項１１〜１３のいずれかに記載の表示制御プログラム。
【請求項１５】
印刷指示を受け付けるステップと、
印刷指示が受け付けられることに応じて、前記表示履歴に基づき、前記表示制御手段により表示されたページデータのうち、表示時間が所定時間以上のページデータの画像を前記実績順番に従い用紙上に形成するステップと、をさらに前記コンピュータに実行させる請求項１１〜１４のいずれかに記載の表示制御プログラム。
【発明の詳細な説明】
【技術分野】
【０００１】
この発明は、データ処理装置、表示制御方法および表示制御プログラムに関し、特にプロジェクタなどの表示装置と接続可能なデータ処理装置、そのデータ処理装置で実行される表示制御方法および表示制御プログラムに関する。
【背景技術】
【０００２】
近年、会議やプレゼンテーションなどで、プロジェクタを用いて発表する場合がある。プロジェクタは、画像が入力されると、その画像をスクリーンに投影する。プロジェクタに表示させるための画像が複数ページある場合、発表者は事前に複数ページの画像を表示する順番を定めておき、その定められた順番で画像を表示させる。一方、会議やプレゼンテーションの進行状況の変化により、複数の画像をそれぞれ表示する時間は異なり、また、事前に定めた順番とは異なる順番で表示される場合がある。
【０００３】
特開２００４−１７１５２６号公報（特許文献１）には、会議システム間の接続を管理するセッション、会議中に使用したり会議の記録として生成されるファイル、会議に関連するリソースへのリファレンス情報、会議の参加者によって行なわれるファイル・アクセスなどの履歴情報を管理し、参加者がＧＵＩ操作により個々の会議システムの呼び出しアドレスを意識することなく会議システムの接続を行ない、会議に関連するファイルなどの情報に会議システムから容易にアクセスすることができるようにした遠隔会議システムが記載されている。しかしながら、従来の遠隔会議システムにおいては、履歴情報からアクセス可能となるファイルは、会議の前後で同じなので、実際の発表内容に沿った資料を取得することができないといった問題がある。
【０００４】
また、特開２００８−０３５３８４号公報（特許文献２）には、発表用電子文書のページ毎に発表時間を取得し、取得した発表時間に応じて、発表用電子文書の複数ページの画像を１画像にまとめて出力する際に割り付け、割り付けられた画像を出力する画像処理システムが記載されている。割付は、発表時間に応じたサイズに各ページの大きさを計算することによりされる。しかしながら、従来の画像処理システムにおいては、発表時間に応じて複数のページの画像の大きさが決定されるので、１つの画像を見れば複数のページごとに発表時間を知ることができるが、発表された順番を知ることができない。また、実際には発表に用いられなかったページの画像も表示されてしまうので、実際の発表内容を正確に表すことができないといった問題がある。
【特許文献１】特開２００４−１７１５２６号公報
【特許文献２】特開２００８−０３５３８４号公報
【発明の開示】
【発明が解決しようとする課題】
【０００５】
この発明は上述した問題点を解決するためになされたもので、この発明の目的の１つは、一度出力した内容を再現することが可能なデータ処理装置を提供することである。
【０００６】
この発明の他の目的は、一度出力した内容を再現することが可能な表示制御方法を提供することである。
【０００７】
この発明のさらに他の目的は、一度出力した内容を再現することが可能な表示制御プログラムを提供することである。
【課題を解決するための手段】
【０００８】
上述した目的を達成するためにこの発明のある局面によれば、データ処理装置は、表示装置と接続可能なデータ処理装置であって、所定の表示単位のページデータを複数含み、該複数のページデータそれぞれにページ番号が定義されたデータを記憶するデータ記憶手段と、記憶されたデータに含まれる複数のページデータのうちから表示装置に表示するための１つのページデータのページ番号を受け付ける指示受付手段と、データに含まれる複数のページデータのうち受け付けられたページ番号のページデータを表示装置に表示させる表示制御手段と、表示されたページデータごとに該ページデータを識別するための識別情報と表示された時間を示す表示時間と表示された順番を示す実績順番とを関連付けた表示履歴を記憶する履歴記憶手段と、表示履歴が指定されることを条件に、指定された表示履歴に基づいて、データに含まれる複数のページデータを表示装置に表示させる再表示制御手段と、を備え、指示受付手段は、送り指示と戻り指示とを受け付け、再表示制御手段は、送り指示が受け付けられることに応じて、指定された表示履歴において表示時間が所定時間以上で、かつ表示中のページデータの実績順番より先の実績順番に関連付けられた識別情報で特定されるページデータを表示装置に表示させ、戻り指示が受け付けられることに応じて、表示時間が所定時間以上で、かつ表示中のページデータの実績順番より前の実績順番に関連付けられた識別情報で特定されるページデータを表示装置に表示させる。
【０００９】
この局面に従えば、データに含まれる複数のページデータのうち受け付けられたページ番号のページデータが表示装置に表示されると、表示されたページデータを識別するための識別情報と表示された時間を示す表示時間と表示された順番を示す実績順番とを含む表示履歴が記憶され、表示履歴が指定されると、表示履歴に基づいて、データに含まれる複数のページデータが表示装置に表示される。このため、複数のページデータを表示装置に表示させたのと同じ順番で再表示させることができる。その結果、一度表示した内容を再現することが可能なデータ処理装置を提供することができる。
【００１１】
また、表示時間が所定時間より短いページデータは表示されないので、発表内容を正確に再現することができる。
好ましくは、再表示制御手段は、表示履歴が指定されると、指定された表示履歴に基づいて、データに含まれる複数のページデータのうち、表示時間が所定時間以上であって最も小さい実績順番に関連付けられた識別情報で特定されるページデータを表示装置に表示させる。
【００１２】
好ましくは、表示制御手段は、送り指示が受け付けられることに応じて、複数のページデータのうちページ番号が表示中のページデータの次のページデータを表示装置に表示させ、戻り指示が受け付けられることに応じて、複数のページデータのうちページ番号が表示中のページデータの前のページデータを表示装置に表示させる。
【００１３】
好ましくは、複数のページデータは、動画または音声と関連付けられた特定ページデータを含み、複数のページデータのうち表示装置に表示されるページデータが特定ページデータの場合、再生指示を受け付ける再生指示受付手段と、再生指示が受け付けられる場合、複数のページデータのうち表示装置に表示されている特定ページデータに関連付けられた動画または音声を再生する再生手段と、をさらに備え、履歴記憶手段は、特定ページデータに含まれる動画または音声が再生された場合、その再生状態をさらに記憶し、再生手段は、複数のページデータのうち再表示制御手段により表示装置に表示されている特定ページデータに対応して再生状態が記憶されている場合、特定ページデータに関連付けられた動画または音声を記憶された再生状態に従って再生する。
【００１４】
この局面に従えば、複数のページデータのうち表示装置に表示されている特定ページデータに関連付けられた動画または音声が再生される場合、再生状態に従って再生される。このため、動画像または音声を、先に再生された再生状態と同じ再生状態で再生することができる。
好ましくは、ページデータに基づいて用紙上に画像を形成する画像形成手段をさらに備え、画像形成手段は、表示履歴に基づき、表示制御手段により表示されたページデータのうち、表示時間が所定時間以上のページデータの画像を実績順番に従い用紙上に形成する。
【００１５】
この発明の他の局面によれば、表示制御方法は、表示装置と接続可能なデータ処理装置で実行される表示制御方法であって、所定の表示単位のページデータを複数含み、該複数のページデータそれぞれにページ番号が定義されたデータを記憶するステップと、記憶されたデータに含まれる複数のページデータのうちから表示装置に表示するための１つのページデータのページ番号を受け付けるステップと、データに含まれる複数のページデータのうち受け付けられたページ番号のページデータを表示装置に表示させるステップと、表示されたページデータを識別するための識別情報と表示された時間を示す表示時間と表示された順番を示す実績順番とを含む表示履歴を記憶するステップと、表示履歴が指定されることを条件に、指定された表示履歴に基づいて、データに含まれる複数のページデータを表示装置に表示させるステップと、を含み、ページ番号を受け付けるステップは、送り指示を受け付けるステップと、戻り指示を受け付けるステップとを含み、複数のページデータを表示装置に表示させるステップは、送り指示が受け付けられることに応じて、指定された表示履歴において表示時間が所定時間以上で、かつ表示中のページデータの実績順番より先の実績順番に関連付けられた識別情報で特定されるページデータを表示装置に表示させるステップと、戻り指示が受け付けられることに応じて、指定された表示履歴において表示時間が所定時間以上で、かつ表示中のページデータの実績順番より前の実績順番に関連付けられた識別情報で特定されるページデータを表示装置に表示させるステップとを含む。
【００１６】
この局面に従えば、一度表示した内容を再現することが可能な表示制御方法を提供することができる。
好ましくは、複数のページデータを表示装置に表示させるステップは、表示履歴が指定されると、複数のページデータのうち、表示時間が所定時間以上であって最も小さい実績順番に関連付けられた識別情報で特定されるページデータを表示装置に表示させるステップを含む。
好ましくは、受け付けられたページ番号のページデータを表示装置に表示させるステップは、 送り指示が受け付けられることに応じて、複数のページデータのうちページ番号が表示中のページデータの次のページデータを表示装置に表示させるステップと、 戻り指示が受け付けられることに応じて、複数のページデータのうちページ番号が表示中のページデータの前のページデータを表示装置に表示させるステップとを含む。
好ましくは、複数のページデータのうち表示装置に表示されるページデータが動画または音声と関連付けられた特定ページデータである場合、再生指示を受け付けるステップと、再生指示が受け付けられた場合、複数のページデータのうち表示装置に表示されている特定ページデータに関連付けられた動画または音声を再生するステップと、特定ページデータに含まれる動画または音声が再生された場合の再生状態を記憶するステップと、複数のページデータのうち表示装置に表示されている特定ページデータに対応して再生状態が記憶されている場合、特定ページデータに関連付けられた動画または音声を記憶された再生状態に従って再生するステップと、をさらに含む。
好ましくは、印刷指示を受け付けるステップと、印刷指示が受け付けられることに応じて、表示履歴に基づき、表示制御手段により表示されたページデータのうち、表示時間が所定時間以上のページデータの画像を実績順番に従い用紙上に形成するステップと、を更に含む。
【００１７】
この発明のさらに他の局面によれば、表示制御プログラムは、表示装置と接続可能なデータ処理装置を制御するコンピュータで実行される表示制御プログラムであって、所定の表示単位のページデータを複数含み、該複数のページデータそれぞれにページ番号が定義されたデータを記憶するステップと、記憶されたデータに含まれる複数のページデータのうちから表示装置に表示するための１つのページデータのページ番号を受け付けるステップと、データに含まれる複数のページデータのうち受け付けられたページ番号のページデータを表示装置に表示させるステップと、表示されたページデータを識別するための識別情報と表示された時間を示す表示時間と表示された順番を示す実績順番とを含む表示履歴を記憶するステップと、表示履歴が指定されることを条件に、指定された表示履歴に基づいて、データに含まれる複数のページデータを表示装置に表示させるステップと、をコンピュータに実行させ、ページ番号を受け付けるステップは、送り指示を受け付けるステップと、戻り指示を受け付けるステップとを含み、複数のページデータを表示装置に表示させるステップは、送り指示が受け付けられることに応じて、指定された表示履歴において表示時間が所定時間以上で、かつ表示中のページデータの実績順番より先の実績順番に関連付けられた識別情報で特定されるページデータを表示装置に表示させるステップと、戻り指示が受け付けられることに応じて、指定された表示履歴において表示時間が所定時間以上で、かつ表示中のページデータの実績順番より前の実績順番に関連付けられた識別情報で特定されるページデータを表示装置に表示させるステップとを含む。
【００１８】
この局面に従えば、一度表示した内容を再現することが可能な表示制御プログラムを提供することができる。
好ましくは、複数のページデータを表示装置に表示させるステップは、表示履歴が指定されると、複数のページデータのうち、表示時間が所定時間以上であって最も小さい実績順番に関連付けられた識別情報で特定されるページデータを表示装置に表示させるステップを含む。
好ましくは、受け付けられたページ番号のページデータを表示装置に表示させるステップは、 送り指示が受け付けられることに応じて、複数のページデータのうちページ番号が表示中のページデータの次のページデータを表示装置に表示させるステップと、 戻り指示が受け付けられることに応じて、複数のページデータのうちページ番号が表示中のページデータの前のページデータを表示装置に表示させるステップとを含む。
好ましくは、複数のページデータのうち表示装置に表示されるページデータが動画または音声と関連付けられた特定ページデータである場合、再生指示を受け付けるステップと、再生指示が受け付けられた場合、複数のページデータのうち表示装置に表示されている特定ページデータに関連付けられた動画または音声を再生するステップと、特定ページデータに含まれる動画または音声が再生された場合の再生状態を記憶するステップと、複数のページデータのうち表示装置に表示されている特定ページデータに対応して再生状態が記憶されている場合、特定ページデータに関連付けられた動画または音声を記憶された再生状態に従って再生するステップと、をさらにコンピュータに実行させる。
好ましくは、印刷指示を受け付けるステップと、印刷指示が受け付けられることに応じて、表示履歴に基づき、表示制御手段により表示されたページデータのうち、表示時間が所定時間以上のページデータの画像を実績順番に従い用紙上に形成するステップと、をさらにコンピュータに実行させる。
【発明を実施するための最良の形態】
【００１９】
以下、本発明の実施の形態について図面を参照して説明する。以下の説明では同一の部品には同一の符号を付してある。それらの名称および機能も同じである。したがってそれらについての詳細な説明は繰返さない。
【００２０】
図１は、本発明の実施の形態における会議システムの全体概要を示す図である。図１を参照して、会議システム１は、それぞれがネットワーク２に接続されたＭＦＰ（Ｍｕｌｔｉ  Ｆｕｎｃｔｉｏｎ  Ｐｅｒｉｐｈｅｒａｌ）１００と、プロジェクタ２００と、パーソナルコンピュータ（ＰＣ）３００と、を含む。
【００２１】
ネットワーク２は、ローカルエリアネットワーク（ＬＡＮ）であり、接続形態は有線または無線を問わない。またネットワーク２は、インターネット３に接続されている。なお、ネットワーク２は、ＬＡＮに限らず、ワイドエリアネットワーク（ＷＡＮ）、公衆交換電話網（ＰＳＴＮ）、インターネット等であってもよい。
【００２２】
ＭＦＰ１００は、プロジェクタ２００およびＰＣ３００とネットワーク２を介して通信することが可能であり、さらに、インターネット３に接続されたコンピュータと通信することが可能である。
【００２３】
なお、本実施の形態においてはデータ処理装置の一例としてＭＦＰ１００を例に説明するが、ＭＦＰ１００に代えて、たとえば、スキャナ、プリンタ、ファクシミリ、コンピュータ等であってもよい。
【００２４】
図２は、ＭＦＰの外観を示す斜視図である。図２を参照して、ＭＦＰ１００は、自動原稿搬送装置（ＡＤＦ）１０と、画像読取部２０と、画像形成部３０と、給紙部４０と、を含む。ＡＤＦ１０は、原稿台１１に搭載された複数枚の原稿をさばいて１枚ずつ順に、画像読取部２０に搬送する。画像読取部２０は、写真、文字、絵等の画像情報を原稿から光学的に読み取って画像データを取得する。
【００２５】
画像形成部３０は、画像データが入力されると、画像データに基づいて用紙上に画像を形成する。画像形成部３０は、シアン、マゼンタ、イエローおよびブラックの４色のトナーを用いてカラーの画像を形成する、また、シアン、マゼンタ、イエローおよびブラックのいずれか１色のトナーを用いてモノクロの画像を形成する。給紙部４０は、用紙を格納しており、格納した用紙を１枚ずつ画像形成部３０に供給する。ＭＦＰ１００は、その上面に操作パネル９を備える。
【００２６】
図３は、ＭＦＰのハードウェア構成の一例を示すブロック図である。図３を参照して、ＭＦＰ１００は、メイン回路１０１を含み、メイン回路１０１は、ファクシミリ部６０と、ＡＤＦ１０と、画像読取部２０と、画像形成部３０と、給紙部４０と接続される。メイン回路１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、ＣＰＵ１１１が実行するプログラム等を記憶するためのＥＥＰＲＯＭ（Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１１３と、表示部１１４と、操作部１１５と、大容量記憶装置としてのハードディスクドライブ（ＨＤＤ）１１６と、データ通信制御部１１７と、を含む。ＣＰＵ１１１は、表示部１１４、操作部１１５、ＨＤＤ１１６およびデータ通信制御部１１７とそれぞれ接続され、メイン回路１０１の全体を制御する。また、ＣＰＵ１１１は、ファクシミリ部６０、ＡＤＦ１０、画像読取部２０、画像形成部３０および給紙部４０と接続され、ＭＦＰ１００の全体を制御する。
【００２７】
表示部１１４は、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等のディスプレイであり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、表示部１１４上に設けられたタッチパネルを含む。表示部１１４と操作部１１５とで、操作パネル９が構成される。
【００２８】
データ通信制御部１１７は、ＴＣＰ（Ｔｒａｎｓｍｉｓｓｉｏｎ  Ｃｏｎｔｒｏｌ  Ｐｒｏｔｏｃｏｌ）またはＵＤＰ（Ｕｓｅｒ  Ｄａｔａｇｒａｍ  Ｐｒｏｔｏｃｏｌ）等の通信プロトコルで通信するためのインターフェースであるＬＡＮ端子１１８と、シリアル通信するためのシリアルインターフェース端子１１９とを有する。データ通信制御部１１７は、ＣＰＵ１１１からの指示に従って、ＬＡＮ端子１１８またはシリアルインターフェース端子１１９に接続された外部の機器との間でデータを送受信する。
【００２９】
ＬＡＮ端子１１８に、ネットワーク２に接続するためのＬＡＮケーブルが接続される場合、データ通信制御部１１７は、ＬＡＮ端子１１８を介してプロジェクタ２００およびＰＣ３００と通信することが可能である。
【００３０】
また、ＣＰＵ１１１は、データ通信制御部１１７を制御して、メモリカード１１９ＡからＣＰＵ１１１が実行するためのプログラムを読出し、読み出したプログラムをＲＡＭ１１２に記憶し、実行する。なお、ＣＰＵ１１１が実行するためのプログラムを記憶する記録媒体としては、メモリカード１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。さらに、ＣＰＵ１１１がインターネットに接続されたコンピュータからプログラムをダウンロードしてＨＤＤ１１６に記憶する、または、インターネットに接続されたコンピュータがプログラムをＨＤＤ１１６に書込みするようにして、ＨＤＤ１１６に記憶されたプログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００３１】
ファクシミリ部６０は、ＰＳＴＮ７に接続され、ＰＳＴＮ７にファクシミリデータを送信する、またはＰＳＴＮ７からファクシミリデータを受信する。ファクシミリ部６０は、受信したファクシミリデータをＨＤＤ１１６に記憶する、または画像形成部３０でファクシミリデータを用紙にプリントする。また、ファクシミリ部６０は、ＨＤＤ１１６に記憶されたデータをファクシミリデータに変換して、ＰＳＴＮ７に接続されたファクシミリ装置または他のＭＦＰに出力する。これにより、ＨＤＤ１１６に記憶されたデータをファクシミリ装置または他のＭＦＰに出力することができる。
【００３２】
図４は、プロジェクタの機能概要の一例を示す機能ブロック図である。図４を参照して、プロジェクタ２００は、プロジェクタ２００の全体を制御するための制御部２０１と、プロジェクタ２００をネットワーク２に接続するためのネットワークＩ／Ｆ２０７と、画面を表示するための液晶表示装置と操作の入力を受け付ける複数のキーとを備えた操作パネル２０５と、画像を投影する投影部２０３と、音声を出力するスピーカ２０９と、を含む。
【００３３】
制御部２０１は、ＣＰＵと、作業領域として用いられるＲＡＭと、ＣＰＵが実行するプログラムを記憶するためのＲＯＭと、を含む。制御部２０１は、ネットワークＩ／Ｆ２０７を介してＭＦＰ１００からデータを受信すると、受信したデータを投影用のフォーマットに変換し、投影用のデータを投影部２０３に出力する。投影部２０３は、液晶表示装置、レンズおよび光源を備える。液晶表示装置は、制御部２０１から入力されるデータを表示する。光源から発せられる光は、液晶表示装置を透過し、レンズを介して外部に照射される。投影部２０３から照射される光が、スクリーンに照射されると、液晶表示装置に表示された画像を拡大した画像がスクリーンに映し出される。会議室において、スクリーンは、専用に設置されたスクリーンが用いられる。なお、反射率の高い面であれば、壁などを利用することができ、その場合にはスクリーンを設置する必要はない。操作パネル２０５は、ユーザインターフェースであり、液晶表示装置などの表示部と、複数のキーを含む操作部とを含む。
【００３４】
本実施の形態におけるＭＦＰ１００は、プロジェクタ２００に表示させるためのデータを予め記憶しており、ユーザがプロジェクタ２００を操作することにより、ＭＦＰ１００に記憶されたデータのうちから表示させるためのデータの選択が可能である。
【００３５】
ここで、プロジェクタ２００の動作について、操作パネル２０５に表示される画面を用いて説明する。図５は、プロジェクタで表示される操作画面の一例を示す図である。図５を参照して、操作画面２１０は、データを選択する領域２１３と、データに含まれる複数のページデータのページ番号を表示するための領域２１５と、領域２１５に表示された複数のページ番号の１つを選択するための送りボタン２１７Ａおよび戻しボタン２１７Ｂとを含む。
【００３６】
制御部２０１は、領域２１３の右に設けられた矢印ボタンが指示されると、ネットワークＩ／Ｆ２０７を介してデータ送信要求をＭＦＰ１００に送信する。データ送信要求を受信したＭＦＰ１００はデータを識別するためのファイル名をプロジェクタ２００に送信するので、プロジェクタ２００は、操作画面２１０にファイル名の一覧を表示する。
【００３７】
そして、ユーザが表示されたファイル名の一覧のうちからいずれか１つを選択する指示を操作パネル２０５に入力すると、制御部２０１は、ネットワークＩ／Ｆ２０７を介して選択されたファイル名を含む定義データ送信要求をＭＦＰ１００に送信する。定義データ送信要求を受信したＭＦＰ１００は、定義データ送信要求に含まれるファイル名で識別されるデータの定義データを、プロジェクタ２００に送信するので、プロジェクタ２００は、操作画面２１０に定義データに含まれるページ番号を領域２１５に表示する。領域２１５に表示されるページ番号は、選択された状態を示すために、反転表示される。図では、反転表示された状態をハッチングで示している。最初は、第１ページが選択され、第１ページのページ番号「１」が反転表示される。
【００３８】
送りボタン２１７Ａおよび戻しボタン２１７Ｂは、領域２１５に複数のページ番号が表示される場合に、いずれか１つのページ番号を選択するために用いられる。制御部２０１は、送りボタン２１７Ａまたは戻しボタン２１７Ｂが指示されると、それぞれ送り指示または戻し指示をＭＦＰ１００に送信する。ＭＦＰ１００は、送り指示または戻し指示を受信すると、送り指示または戻し指示で特定されるページ番号のページデータを送信するので、プロジェクタ２００において、制御部２０１は、投影部２０３にＭＦＰ１００から受信するページデータを投影させる。送りボタン２１７Ａは、選択されているページ番号の次のページ番号を選択するための指示を受け付けるためのボタンであり、戻しボタン２１７Ｂは、選択されているページ番号の前のページ番号を選択するための指示を受け付けるためのボタンである。例えば、最初に第１ページが選択されている状態で送りボタン２１７Ａが指示されると、選択されている第１ページの次の第２ページが選択され、次に、戻りボタン２１７Ｂが指示されると、選択されている第２ページの前の第１ページが選択される。
【００３９】
また、制御部２０１は、投影部２０３が投影するページデータが動画または音声とリンクされている場合、ユーザにより操作パネル２０５に再生指示が入力されると、再生要求をＭＦＰ１００に送信する。ページデータが動画または音声とリンクされているか否かは、定義データにより定義され、定義データはページデータが動画または音声とリンクされている場合、動画または音声を識別するための識別情報を含む。再生要求は、動画または音声を識別するための識別情報を含む。ＭＦＰ１００は、再生要求を受信すると、その再生要求に含まれる識別情報で特定される動画または音声を送信するので、プロジェクタ２００において、制御部２０１は、ＭＦＰ１００から受信された動画を投影部２０３に投影させる、または、ＭＦＰ１００から受信された音声をスピーカ２０９から出力させる。
【００４０】
さらに、制御部２０１は、動画または音声を出力する場合、ユーザが操作パネル２０５に入力する動画の再生状態または音声の再生状態をＭＦＰ１００に送信する。動画の再生状態は、再生範囲、音量、音質を含む。音質は、周波数ごとの音量の設定を含み、低音強調または高音強調の設定を含む。制御部２０１は、動画の再生状態または音声の再生状態が変更されるごとに、変更後の再生状態をＭＦＰ１００に送信する。
【００４１】
さらに、制御部２０１は、ネットワークＩ／Ｆ２０７を介して再表示要求をＭＦＰ１００に送信する。再表示要求を受信したＭＦＰ１００はデータを識別するためのファイル名をプロジェクタ２００に送信するので、プロジェクタ２００は、操作パネル２０５にファイル名の一覧を表示する。
【００４２】
そして、ユーザが表示されたファイル名の一覧のうちからいずれか１つを選択する指示を操作パネル２０５に入力すると、制御部２０１は、ネットワークＩ／Ｆ２０７を介して選択されたファイル名をＭＦＰ１００に送信する。ファイル名を受信したＭＦＰ１００は、受信されたファイル名で識別されるデータに対応する履歴情報８５を市奇抜するための履歴識別情報を、プロジェクタ２００に送信するので、プロジェクタ２００は、操作パネル２０５に受信された履歴情報識別情報を表示する。ユーザが操作パネル２０５に表示された履歴識別情報を指示すれば、制御部２０１は、ネットワークＩ／Ｆ２０７を介して履歴識別情報をＭＦＰ１００に送信する。
【００４３】
図６は、ＭＦＰが備えるＣＰＵの機能の一例をＨＤＤに記憶されるデータとともに示す機能ブロック図である。図６を参照して、プロジェクタ２００から送信される送り指示または戻り指示を受け付ける指示受付部５１と、送り指示または戻り指示で特定されるページデータの画像をプロジェクタ２００に表示させる表示制御部５３と、再生指示を受け付ける再生指示受付部５５と、再生指示により特定される動画または音声をプロジェクタ２００に再生させる再生部５７と、プロジェクタ２００により表示または再生された履歴を記憶する履歴記憶部５９と、再表示指示を受け付ける再表示指示受付部６１と、再表示指示で特定されるページデータの画像をプロジェクタ２００に表示させる再表示制御部６３と、を含む。
【００４４】
ＨＤＤ１１６は、データ８１を記憶する。データ８１は、画像が形成された原稿を画像読取部２０に読み取らせる指示をユーザが操作部１１５に入力する場合、画像読取部２０が原稿を読み取って出力するデータである。また、データ通信制御部１１７がネットワーク２に接続されたＰＣから受信するデータであってもよい。さらに、データ通信制御部１１７がネットワーク２に接続されたＰＣからプリントデータとして受信されるデータであってもよい。
【００４５】
指示受付部５１は、データ通信制御部１１７がプロジェクタ２００からデータ送信要求を受信すると、ＨＤＤ１１６に記憶されているデータのファイル名をデータ通信制御部１１７を介してプロジェクタ２００送信する。また、指示受付部５１は、データ通信制御部１１７がプロジェクタ２００から定義データ送信要求を受信すると、定義データ送信要求に含まれるファイル名で特定されるデータ８１をＨＤＤ１１６から読み出し、読み出したデータ８１に含まれる定義データをデータ通信制御部１１７を介してプロジェクタ２００送信する。さらに、データ通信制御部１１７がプロジェクタ２００から送り指示または戻り指示を受信すると、送り指示または戻り指示を表示制御部５３に出力する。
【００４６】
指示受付部５１は、プロジェクタ２００から送り指示または戻り指示を受け付ける例を説明するが、ユーザが操作部１１５を操作して入力する送り指示または戻り指示を受け付けるようにしてもよいし、ユーザがネットワーク２に接続されたＰＣ３００を操作して、ＭＦＰ１００を遠隔操作する場合には、データ通信制御部１１７がＰＣ３００から受信する送り指示または戻り指示を受け付けるようにしてもよい。
【００４７】
表示制御部５３は、指示受付部５１から送り指示または戻り指示が入力されると、入力される送り指示または戻り指示から特定されるページデータを、プロジェクタ２００に表示させる。具体的には、指示受付部５１から入力される送り指示または戻り指示からページ番号を特定し、データ８１に含まれる複数のページデータのうちから特定されたページ番号のページデータをデータ通信制御部１１７を介してプロジェクタ２００に送信する。より具体的には、表示制御部５３は、送り指示が入力される場合、そのとき表示しているページデータのページ番号の次のページ番号を特定し、戻り指示が入力される場合、そのとき表示されているページデータのページ番号より１つ前のページ番号を特定する。また、表示制御部５３は、プロジェクタ２００に送信されたページデータのページ番号を履歴記憶部５９に出力する。
【００４８】
上述したようにプロジェクタ２００が備える制御部２０１は、投影部２０３が投影するページデータが動画または音声とリンクされている場合、ユーザにより操作パネル２０５に再生指示が入力されると、再生要求をＭＦＰ１００に送信する。再生指示受付部５５は、データ通信制御部１１７がプロジェクタ２００から再生指示を受信すると、再生部５７に再生指示とを出力する。
【００４９】
再生部５７は、再生指示に含まれる識別情報で特定される動画または音声８３をＨＤＤ１１６から読出し、プロジェクタ２００に送信する。なお、ここでは、動画は、動画像と音声とを含む概念である。また、再生部５７は、動画または音声８３をプロジェクタ２００に送信した後にデータ通信制御部１１７によりプロジェクタ２００から受信される動画または音声の再生状態を受け付け、識別情報と再生状態とを履歴記憶部５９に出力する。
【００５０】
履歴記憶部５９は、表示制御部５３からページ番号が入力されると、該ページ番号を含む履歴レコードを生成し、生成した履歴レコードをＨＤＤ１１６に記憶されている履歴情報に追加して記憶する。履歴記憶部５９は、表示制御部５３よりページ番号が入力されるごとに、１つの履歴レコードを生成する。
【００５１】
図７は、履歴情報の一例を示す図である。図７を参照して、履歴情報は、ページデータが表示されるごとに１つの履歴レコードが追加され、表示されたページデータの数と同じ数の複数の履歴レコードを含む。履歴レコードは、指示の項目と、実績順番の項目と、ページ番号の項目と、表示時間の項目と、再生状態の項目と、を含み、ページデータを識別するためのページ番号と、ページデータが表示された時間を示す表示時間と、表示された順番を示す実績順番とを関連付ける。指示の項目は、ユーザがプロジェクタ２００に入力した指示の内容を含み、送り指示と戻し指示とのいずれであるかを示す「送り」または「戻し」のいずれかが設定される。実績順番の項目は、ページデータが表示された順番が設定される。ページ番号の項目は、表示されたページデータのページ番号が設定される。表示時間の項目は、ページデータがプロジェクタ２００に表示された時間が設定される。先の送り指示または戻り指示が入力されてから次の送り指示または戻り指示が入力されるまでの時間を設定するようにしてもよいし、実際にプロジェクタ２００がページデータを表示した時間をプロジェクタで計測するようにし、プロジェクタ２００から表示時間を受信するようにしてもよい。
【００５２】
再生状態の項目は、動画または音声の再生状態が設定され、有無の項目と、再生範囲の項目と、音量の項目と、音質の項目と、を含む。有無の項目は、ページデータに動画または音声がリンクされているか否かを示す「あり」または「なし」のいずれかが設定される。再生範囲の項目は、動画または音声が再生された範囲が設定される。ここでは、動画または音声の再生範囲を、動画または音声の最初からの再生時間としている。音量の項目または音質の項目は、音声が再生される再にプロジェクタ２００に設定された音量または音質が設定される。音質は、ここでは、低音を強調する音質に設定するための設定１と高音を強調する音質に設定するための設定２とを含む。
【００５３】
図６に戻って、再表示指示受付部６１は、履歴情報８５が指定されると、再表示指示を再表示制御部６３に出力する。再表示指示は、データ８１のファイル名と、履歴情報８５の履歴識別情報とを含む。具体的には、再表示指示受付部６１は、データ通信制御部１１７がプロジェクタ２００から再表示要求を受信すると、ＨＤＤ１１６に記憶されているデータ８１のファイル名をデータ通信制御部１１７を介してプロジェクタ２００送信する。そして、再表示指示受付部６１は、データ通信制御部１１７がプロジェクタ２００からファイル名を受信すると、受信されたファイル名に対応してＨＤＤ１１６に記憶されている履歴情報８５を識別するための履歴識別情報をデータ通信制御部１１７を介してプロジェクタ２００に送信する。プロジェクタ２００から受信されるファイル名に対応する履歴情報８５が複数記憶されている場合には、複数の履歴情報８５にそれぞれ対応する複数の履歴識別情報を送信する。さらに、データ通信制御部１１７がプロジェクタ２００から履歴識別情報を受信すると、その履歴識別情報で特定される履歴情報８５が指定されたと判断する。さらに、再表示指示受付部６１は、データ通信制御部１１７がプロジェクタ２００から送り指示または戻り指示を受信すると、受信された送り指示または戻り指示を再表示制御部６３に出力する。
【００５４】
なお、再表示指示受付部６１は、プロジェクタ２００からファイル名、履歴識別情報、送り指示または戻り指示を受け付ける例を説明するが、ユーザが操作部１１５を操作して入力するファイル名、履歴識別情報、送り指示または戻り指示を受け付けるようにしてもよいし、ユーザがネットワーク２に接続されたＰＣ３００を操作してＭＦＰ１００を遠隔操作する場合には、データ通信制御部１１７がＰＣ３００から受信する送り指示または戻り指示を受け付けるようにしてもよい。
【００５５】
再表示制御部６３は、再表示指示が入力されると、再表示指示に含まれる履歴識別情報で特定される履歴情報８５をＨＤＤ１１６から読み出す。そして、履歴情報８５の実績順番の項目に設定された実績順番に従って再生指示に含まれるファイル名で特定されるデータ８１に含まれる複数のページデータの１つを順にプロジェクタ２００に表示させる。但し、再表示制御部６３がプロジェクタ２００に表示させるページデータは、履歴情報８５の実績順番の順で、かつ、表示時間の項目に設定された表示時間が所定の時間以上のものに限られる。具体的には、再表示制御部６３は、履歴情報８５に含まれる複数の履歴レコードのうちから実績順番の項目が最も小さい第１番の履歴レコードを最初に選択し、選択された履歴レコードのページ番号の項目に設定されているページ番号で特定されるページデータを最初に選択する。その後、再表示制御部６３は、再表示指示受付部６１から入力される送り指示または戻り指示に従ってページデータを選択する。送り指示が入力される場合、そのとき選択されている履歴レコードの実績順番よりも実績順番が１つ先（後）の履歴レコードを選択し、再表示指示受付部６１から戻り指示が入力される場合、そのとき選択されている履歴レコードの実績順番より実績順番が１つ前の履歴レコードを選択する。再表示制御部６３は、選択された履歴レコードの表示時間が所定の時間以上ならば、選択された履歴レコードのページ番号で特定されるページデータをプロジェクタ２００送信する。一方、選択された履歴レコードの表示時間が所定の時間以上でなければ、その履歴レコードのページ番号で特定されるページデータをプロジェクタ２００に送信することなく、選択されている履歴レコードよりも実績順番がさらに前または先の履歴レコードを選択し、その選択された履歴レコードの表示時間が所定の時間以上か否かを判断する。
【００５６】
換言すれば、送り指示が入力される場合、表示時間が所定時間以上で、かつそのとき選択されているページデータの実績順番より先の実績順番に関連付けられたページ番号で特定されるページデータをプロジェクタ２００に送信し、戻り指示が受け付けられる場合、表示時間が所定時間以上で、かつそのとき選択されているページデータの実績順番より前の実績順番に関連付けられたページ番号で特定されるページデータをプロジェクタ２００に送信する。
【００５７】
履歴情報８５の表示時間が所定の時間以上のページデータのみがプロジェクタ２００に送信され、プロジェクタ２００により投影されるので、過去の発表において発表者がプロジェクタ２００表示させなかったまたは表示させたが説明しなかったページデータがプロジェクタ２００に表示されない。このため、発表者が、過去に用いなかったページデータを表示しないようにすることができる。また、過去にプロジェクタ２００で表示した順番と同じ順番でデータ８１に含まれる複数のページデータを表示させることができる。
【００５８】
さらに、再表示制御部６３は、プロジェクタ２００に送信したページデータが動画または音声８３とリンクされている場合、再生指示を再生部５７に出力する。具体的には、再表示制御部６３は、ページデータをプロジェクタ２００に送信すると、そのとき選択している履歴レコードの再生状態の項目の有無の項目が「あり」に設定されており、再生範囲の項目に再生時間が設定されていれば、選択している履歴情報を含む再生指示を再生部５７に出力する。
【００５９】
再生部５７は、再生指示が入力されると、再生しじに含まれる履歴レコードのページ番号で特定されるページデータに関連付けられた動画または音声８３をＨＤＤ１１６から読出し、読み出した動画または音声８３と、履歴レコードの再生状態の項目に設定されている再生状態とをプロジェクタ２００に送信する。動画または音声８３と、再生状態とを受信するプロジェクタ２００は、動画または音声８３を、再生状態に従って再生する。これにより、発表者が、過去に再生した動画または音声８３を、過去に再生したときと同じ再生状態で再生することができる。また、過去に再生しなかった動画または音声８３はプロジェクタ２００に送信されることなく、再生されない。このため、再表示指示が入力される場合、ユーザは、動画または音声８３を再生する指示を入力する必要がなく、また、再生する場合には再生状態を設定する必要がない。
【００６０】
例えば、図７に示す履歴情報が選択された場合、ページデータが表示される順は、ページ番号が第１番、第２番、第３番、第５番、第４番、第６番、第７番、第８番、第９番、第１０番である。このため、過去に第５番目のページデータと第４番目のページデータとの表示順を入れ替えた場合、その入れ替え後の実績順番でページデータが表示される。また、ページ番号が、第２番、第５番、第８番のページデータそれぞれが動画または音声と関連付けられているが、実績順番が第２番、第５番および第１４番それぞれに対応し、ページ番号が第２番、第５番および第８番のページデータが表示されるときに再生される。
【００６１】
図８は、表示制御処理の流れの一例を示すフローチャートである。表示制御処理は、ＭＦＰ１００が備えるＣＰＵ１１１が表示制御プログラムを実行することにより、ＣＰＵ１１１により実行される処理である。図８を参照して、ＣＰＵ１１１は、データの指定を受け付けたか否かを判断する（ステップＳ０１）。データ通信制御部１１７がプロジェクタ２００からＨＤＤ１１６に記憶されているデータ８１のファイル名を受信すると、そのファイル名のデータ８１の指定を受け付ける。より具体的には、プロジェクタ２００からの要求により、ＨＤＤ１１６に記憶されているデータ８１のファイル名をデータ通信制御部１１７を介してプロジェクタ２００に送信し、データ通信制御部１１７がプロジェクタ２００から定義データ送信要求を受信する。定義データ送信要求は、ファイル名を含んでおり、この定義データ送信要求の受信により、それに含まれるファイル名で特定されるデータ８１の指定を受け付ける。
【００６２】
ステップＳ０２においては、ステップＳ０１において指定されたデータ８１をＨＤＤ１１６から読み出す。この場合読み出したデータ８１をＲＡＭ１１２に一時的に記憶する。また、ＣＰＵ１１１は、読み出したデータ８１に含まれる定義データをデータ通信制御部１１７を介してプロジェクタ２００に送信する。
【００６３】
次のステップＳ０３においては、変数Ｎに「１」を設定する（ステップＳ０３）。変数Ｎは、データ８１に含まれる複数のページデータのうち処理対象となるページデータのページ番号を示す。ステップＳ０４においては、第Ｎページのページデータを表示する。具体的には、データ８１に含まれるページ番号が第Ｎ番のページデータを、プロジェクタ２００に送信し、プロジェクタ２００に第Ｎ番のページのページデータを表示させる。そして、タイマをリセットする（ステップＳ０５）。タイマは、ページデータがプロジェクタ２００により表示されている時間を計時する。
【００６４】
次のステップＳ０６においては、第Ｎページのページデータが動画または音声とリンクされているか否かを判断する。データ８１に含まれる定義データを参照し、動画または音声とリンクされているか否かを判断する。第Ｎページのページデータが動画または音声とリンクされていれば処理をステップＳ０７に進めるが、そうでなければ処理をステップＳ２２に進める。
【００６５】
ステップＳ０７においては、再生指示を受け付けたか否かを判断する。再生指示は、動画または音声を識別するための識別情報と、再生状態とを含む。再生状態は、再生範囲、音量、音質を含む。データ通信制御部１１７がプロジェクタ２００から再生指示を受信したならば再生指示を受け付けるが、そうでなければ受け付けない。再生指示を受け付けたならば処理をステップＳ０８に進めるが、そうでなければ処理をステップＳ２２に進める。ステップＳ０８においては、再生指示に含まれる識別情報で特定される動画または音声８３をＨＤＤ１１６から読み出す。そして、読み出された動画または音声８３を再生する。具体的には、読み出された動画または音声８３を、データ通信制御部１１７を介してプロジェクタ２００に送信し、プロジェクタ２００に動画または音声を再生させる。
【００６６】
ステップＳ２２においては、終了指示を受け付けたか否かを判断する。終了指示を受け付けたならば処理をステップＳ２３に進めるが、そうでなければ処理をステップＳ１０に進める。
【００６７】
ステップＳ１０においては、送り指示を受け付けたか否かを判断する。データ通信制御部１１７がプロジェクタ２００から送り指示を受信すると、送り指示を受け付ける。送り指示を受け付けたならば処理をステップＳ１３に進めるが、そうでなければ処理をステップＳ１１に進める。ステップＳ１１においては、戻り指示を受け付けたか否かを判断する。データ通信制御部１１７がプロジェクタ２００から戻り指示を受信すると、戻り指示を受け付ける。戻り指示を受け付けたならば処理をステップＳ１６に進めるが、そうでなければ処理をステップＳ１２に進める。
【００６８】
ステップＳ１２においては、ページ番号（Ｍ）を受け付けたか否かを判断する。データ通信制御部１１７がプロジェクタ２００からページ番号（Ｍ）を受信すると、ページ番号（Ｍ）を受け付ける。ページ番号（Ｍ）を受け付けたならば処理をステップＳ１９に進めるが、そうでなければ処理をステップＳ０６に戻す。
【００６９】
ステップＳ１３においては、履歴情報を生成する。具体的には、実績順番、データに含まれる複数のページデータのうちステップＳ０４において表示されたページデータのページ番号（第Ｎ番）、表示時間、ステップＳ０９において再生された動画または音声８３の再生状態とを関連付ける履歴レコードを生成する。実績順番は、ステップＳ０４が実行された回数である。表示時間は、ステップＳ０４においてページデータが表示されてからステップＳ１０において送り指示が受け付けられるまでの時間である。
【００７０】
そして、履歴情報をＨＤＤ１１６に記憶し（ステップＳ１４）、処理をステップＳ１５に進める。具体的には、ステップＳ１３において生成された履歴レコードをＨＤＤ１１６に記憶されている履歴情報８５に追加して記憶する。ステップＳ１５においては、変数Ｎをそれに１を加算した値に設定し、処理をステップＳ０４に戻す。送り指示が受け付けられた場合に、ステップＳ０４において次のページデータが表示される。
【００７１】
ステップＳ１６においては、ステップＳ１３と同様に履歴情報を生成し、ステップＳ１７においては、ステップＳ１４と同様にステップＳ１６において生成された履歴レコードをＨＤＤ１１６に記憶されている履歴情報８５に追加して記憶し、処理をステップＳ１８に進める。実績順番は、ステップＳ０４が実行された回数であり、表示時間は、ステップＳ０４においてページデータが表示されてからステップＳ１１において戻り指示が受け付けられるまでの時間である。ステップＳ１８においては、変数Ｎをそれから１を減算した値に設定し、処理をステップＳ０４に戻す。戻り指示が受け付けられた場合に、ステップＳ０４において前のページデータが表示される。
【００７２】
ステップＳ１９においては、ステップＳ１３と同様に履歴情報を生成し、ステップＳ２０においては、ステップＳ１４と同様にステップＳ１９において生成された履歴レコードをＨＤＤ１１６に記憶された履歴情報８５に追加して記憶し、処理をステップＳ２１に進める。実績順番は、ステップＳ０４が実行された回数であり、表示時間は、ステップＳ０４においてページデータが表示されてからステップＳ１２においてページ番号（Ｍ）が受け付けられるまでの時間である。ステップＳ２１においては、変数Ｎをページ番号（Ｍ）と同じ値に設定し、処理をステップＳ０４に戻す。ページ番号（Ｍ）が受け付けられた場合に、そのページ番号（Ｍ）のページデータが表示される。
【００７３】
ステップＳ２３においては、ステップＳ０１において指定されたデータの画像を履歴情報に従って用紙に形成する。具体的には、指定されたデータ８１に含まれる複数のページデータの画像を、ＨＤＤ１１６に記憶された履歴情報の実績順番の若い順に画像形成部３０に出力し、画像形成部３０に画像形成させる。ただし、表示時間が所定の時間（ここでは１０秒）以下の実績順番のページデータは画像形成部３０に出力しない。これにより、発表者が発表に用いた複数のページデータの画像が、発表に用いた順に用紙に形成される。
【００７４】
図９は、再表示制御処理の流れの一例を示すフローチャートである。再表示制御処理は、ＭＦＰ１００が備えるＣＰＵ１１１が表示制御プログラムを実行することにより、ＣＰＵ１１１により実行される処理である。図９を参照して、ＣＰＵ１１１は、ＨＤＤ１１６に記憶されているデータ８１の指定を受け付けたか否かを判断する（ステップＳ５１）。プロジェクタ２００からの要求により、ＨＤＤ１１６に記憶されているデータ８１のファイル名をデータ通信制御部１１７を介してプロジェクタ２００に送信し、データ通信制御部１１７がプロジェクタ２００からファイル名を受信すると、データの指定を受け付ける。データの指定を受け付けるまで待機状態となり、データの指定を受け付けたならば処理をステップＳ５２に進める。ステップＳ５２においては、受信されたファイル名が付されたデータ８１をＨＤＤ１１６から読み出し、処理をステップＳ５３に進める。ＨＤＤ１１６に記憶されているデータ８１のファイル名を受信すると、そのファイル名が付されたデータ８１の指定を受け付ける。
【００７５】
次に、履歴情報の指定を受け付けたか否かを判断する（ステップＳ５３）。具体的には、プロジェクタ２００からの要求により、ステップＳ５２において受け付けられたファイル名が付されたデータ８１に関連付けられ、ＨＤＤ１１６に記憶されている履歴情報８５を識別するための履歴識別情報をデータ通信制御部１１７を介してプロジェクタ２００に送信し、データ通信制御部１１７がプロジェクタ２００から履歴識別情報を受信すると、履歴情報８５の指定を受け付ける。履歴情報８５の指定を受け付けるまで待機状態となり、履歴情報８５の指定を受け付けると処理をステップＳ５４に進める。
【００７６】
ステップＳ５４においては、変数Ｎに「０」を設定する。変数Ｎは、データ８１に含まれる複数のページデータのうち処理対象となるページデータに付されたページ番号である。そして、次のステップＳ５５においては、変数Ｎに「１」を設定し、処理をステップＳ５７に進める。最初に、実績順番が第１番のページデータをプロジェクタ２００に表示させるためである。
【００７７】
次に、ステップＳ５４において読み出された履歴情報８５に含まれる複数の履歴レコードのうちから実績順番の項目に第Ｎ番が設定されている履歴レコードの表示時間がしきい値Ｔ以上か否かを判断する（ステップＳ５７）。しきい値Ｔは、次のページデータに表示を切り換えるために必要な時間として任意に定めることができる。例えば、しきい値Ｔは、発表者がプロジェクタに表示されたページデータの画像を見てから必要ないと判断し、次のページデータの画像に表示を切り換える指示を入力し、それが表示されるまでの時間である。ここでは、しきい値を１０秒としている。表示時間がしきい値Ｔ以上ならば処理をステップＳ５８に進めるが、そうでなければ処理をステップＳ５６に戻す。過去にデータ８１を表示した段階で、しきい値１０秒以上表示されていないページデータを表示しないようにするためである。
【００７８】
ステップＳ５８においては、実績順番が第Ｎ番のページを表示する。具体的には、実績順番が第Ｎ番のページデータをデータ通信制御部１１７を介してプロジェクタ２００に送信し、プロジェクタ２００に投影させる。そして、表示させたページデータが動画または音声と関連付けられているか否かを判断する（ステップＳ５９）。具体的には、履歴情報８５の再生状態の項目における有無の項目が「あり」に設定されていれば関連付けられていると判断し、「なし」に設定されていれば関連付けられていないと判断する。動画または音声と関連付けられていれば処理をステップＳ６０に進め、そうでなければ処理をステップＳ６３に進める。
【００７９】
ステップＳ６０においては、再生実績があるか否かを判断する。具体的には、ステップＳ５４において読み出された履歴情報８５に含まれる履歴レコードのうち、実績順番の項目に第Ｎ番が設定されている履歴レコードの再生範囲の項目に値が設定されたいるか否かを判断する。再生範囲の項目に値が設定されていれば再生実績があると判断し、処理をステップＳ６１に進めるが、そうでなければ処理をステップＳ６３に進める。再生実績がない場合に再生しないようにして、過去に再生したのと同じタイミングで動画または音声を表示するようにするためである。
【００８０】
ステップＳ６１においては、実績順番が第Ｎ番のページデータに関連付けられている動画または音声８３をＨＤＤ１１６から読出す。そして、読み出された動画または音声８３を再生し（ステップＳ６２）、処理をステップＳ６３に進める。具体的には、読み出された動画または音声８３と、ステップＳ５４において読み出された履歴情報８５に含まれる履歴レコードの再生状態の項目の設定値とをデータ通信制御部１１７を介してプロジェクタ２００に送信し、プロジェクタ２００に再生状態に従って再生させる。
【００８１】
ステップＳ６３においては、終了指示を受け付けたか否かを判断する。終了指示を受け付けたならば処理を終了するが、そうでなければ処理をステップＳ６４に進める。ステップＳ６４においては、送り指示を受け付けたか否かを判断する。データ通信制御部１１７がプロジェクタ２００から送り指示を受信すると、送り指示を受け付ける。送り指示を受け付けたならば処理をステップＳ６６に進めるが、そうでなければ処理をステップＳ６５に進める。ステップＳ６５においては、戻り指示を受け付けたか否かを判断する。データ通信制御部１１７がプロジェクタ２００から戻り指示を受信すると、戻り指示を受け付ける。戻り指示を受け付けたならば処理をステップＳ６８に進めるが、そうでなければ処理をステップＳ６３に戻す。
【００８２】
ステップＳ６６においては、変数Ｎをそれに１を加算した値に設定し、処理をステップＳ６７に進める。ステップＳ６７においては、ステップＳ５４において読み出された履歴情報８５に含まれる複数の履歴レコードのうちから実績順番の項目に第Ｎ番が設定されている履歴レコードの表示時間がしきい値Ｔ以上か否かを判断する。実績順番の項目に第Ｎ番が設定されている履歴レコードに対応するページデータは、先に実行されたステップＳ５８において表示されたページデータより実績順番が１つ先のページデータである。表示時間がしきい値Ｔ以上ならば処理をステップＳ５８に戻すが、そうでなければ処理をステップＳ６６に進める。過去にデータ８１を表示した段階で、しきい値（１０秒）の時間も表示されていないページデータを表示しないようにするためである。
【００８３】
一方、ステップＳ６８においては、変数Ｎをそれから１を減算した値に設定し、処理をステップＳ６９に進める。ステップＳ６９においては、ステップＳ５４において読み出された履歴情報８５に含まれる複数の履歴レコードのうちから実績順番の項目に第Ｎ番が設定されている履歴レコードの表示時間がしきい値Ｔ以上か否かを判断する。実績順番の項目に第Ｎ番が設定されている履歴レコードに対応するページデータは、先に実行されたステップＳ５８において表示されたページデータよりページ番号が１つ前のページデータである。表示時間がしきい値Ｔ以上ならば処理をステップＳ５８に戻すが、そうでなければ処理をステップＳ６８に戻す。過去にデータ８１を表示した段階で、しきい値（１０秒）の時間も表示されていないページデータを表示しないようにするためである。
【００８４】
以上説明したように本実施の形態における会議システム１において、ＭＦＰ１００は、プロジェクタ２００と接続可能であり、データに含まれる複数のページデータのうち受け付けられたページ番号のページデータをプロジェクタ２００に表示させると、表示されたページデータを識別するためのページ番号と表示された時間を示す表示時間と表示された順番を示す実績順番とを含む履歴レコードを履歴情報８５に追加して記憶し、履歴情報８５が指定されると、履歴情報８５の実績順番順に、データに含まれる複数のページデータがプロジェクタ２００に表示される。このため、複数のページデータをプロジェクタ２００に表示させたのと同じ順番で再度表示させることができる。
【００８５】
また、送り指示が受け付けられると、履歴情報８５において表示時間が所定の時間（１０秒）以上で、かつ表示中のページデータの実績順番より先の実績順番に関連付けられたページ番号のページデータをプロジェクタ２００に表示させ、戻り指示が受け付けられることに応じて、表示時間が所定時間以上で、かつ表示中のページデータの実績順番より前の実績順番に関連付けられたページ番号のページデータをプロジェクタ２００に表示させる。このため、表示時間が所定時間より短いページデータは表示されないので、発表内容を正確に再現することができる。
【００８６】
また、複数のページデータのうちプロジェクタ２００に表示されているページデータが動画または音声とに関連付けられており、その動画または音声が再生された再生状態が記憶されている場合、記憶された再生状態に従って再生される。このため、動画像または音声を、先に再生させたときと同じ再生状態で再生することができる。
【００８７】
なお、上述した実施の形態においては、会議システム１について説明したが、図８または図９に示した処理を実行するための表示制御方法またはその表示制御方法をＭＦＰ１００が備えるＣＰＵ１１１に実行させるための表示制御プログラムとして発明を捉えることができるのは言うまでもない。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】本発明の実施の形態における会議システムの全体概要を示す図である。
【図２】ＭＦＰの外観を示す斜視図である。
【図３】ＭＦＰのハードウェア構成の一例を示すブロック図である。
【図４】プロジェクタの機能概要の一例を示す機能ブロック図である。
【図５】プロジェクタで表示される操作画面の一例を示す図である。
【図６】ＭＦＰが備えるＣＰＵの機能の一例をＨＤＤに記憶されるデータとともに示す機能ブロック図である。
【図７】履歴情報の一例を示す図である。
【図８】表示制御処理の流れの一例を示すフローチャートである。
【図９】再表示制御処理の流れの一例を示すフローチャートである。
【符号の説明】
【００９０】
１  会議システム、２  ネットワーク、３  インターネット、９  操作パネル、１１  原稿台、２０  画像読取部、３０  画像形成部、４０  給紙部、５１  指示受付部、５３  表示制御部、５５  再生指示受付部、５７  再生部、５９  履歴記憶部、６０  ファクシミリ部、６１  再表示指示受付部、６３  再表示制御部、８１  データ、８３  動画または音声、８５  履歴情報、１００  ＭＦＰ、１０１  メイン回路、１１１  ＣＰＵ、１１２  ＲＡＭ、１１３  ＥＥＰＲＯＭ、１１４  表示部、１１５  操作部、１１６  ＨＤＤ、１１７  データ通信制御部、１１９Ａ  メモリカード、２００  プロジェクタ、２０１  制御部、２０３  投影部、２０５  操作パネル、２０７  ネットワークＩ／Ｆ、２０９  スピーカ、２１０  操作画面、２１７Ａ  送りボタン、２１７Ｂ  戻しボタン。
【図１】
0004582202.tif 000002
【図２】
0004582202.tif 000003
【図３】
0004582202.tif 000004
【図４】
0004582202.tif 000005
【図５】
0004582202.tif 000006
【図６】
0004582202.tif 000007
【図７】
0004582202.tif 000008
【図８】
0004582202.tif 000009
【図９】
0004582202.tif 000010